(57)【要約】【課題】操作パネルの製造作業が容易で、かつ、堅牢なスイッチパネルを提供する。【解決手段】スイッチパネルは上側鋼板１５と下側鋼板１９で囲まれるパネル本体と、下側鋼板１９の上部に位置する電子基板１８と、基板１８に配置されている端子ソケット１７と、端子ソケット１７に端子部１４を挿入するスイッチ１０を有している。バリヤ１１には、スイッチ１０の両脇のスイッチ支持金具９，１２を把持する支持金具差込口７，８を設けている。電子基板１８に配置される端子ソケット１７からの基板配線２１は多芯ケーブ２３へ接続され、スイッチ管理コントローラ２６，プログラマブルコントローラ２７へスイッチの信号を入出力する。【選択図】  図４
2005347055.tif 000002
【特許請求の範囲】
【請求項１】
上部面と下部面を含むパネル本体と、前記上部面に複数のスイッチを備えるスイッチパネルシステムにおいて、
前記スイッチの下端に設けられる端子部と、前記下部面の上側の電子基板上に前記端子部と対応して配置されるソケットを、スイッチ毎に挿抜可能に構成したことを特徴とするスイッチパネルシステム。
【請求項２】
請求項１において、前記スイッチの側部に設けたスイッチ支持金具と、前記スイッチの上部を包むバリヤの側部に前記スイッチ支持金具を吊り固定する支持金具差込口を設けることを特徴とするスイッチパネルシステム。
【請求項３】
請求項２において、前記電子基板上に前記ソケットを区分する中空の固定枠を設け、該固定枠の側面の上部に前記支持金具差込口をはめ込む凹部を構成したことを特徴とするスイッチパネルシステム。
【請求項４】
請求項１において、前記下部面と前記電子基板の裏面を接する構造とすることを特徴とするスイッチパネルシステム。
【発明の詳細な説明】
【技術分野】
【０００１】
本発明はミニグラフィックパネル監視操作卓のスイッチパネルシステムに関する。
【背景技術】
【０００２】
遠方監視操作設備に利用されることの多いミニグラフィックパネル監視操作卓は、モザイクタイルを用いてプラント全体の縮小図柄を表示し、プラントの状態を監視しながら手元にあるスイッチでプラント内の現場機器を操作することができる。
【０００３】
ミニグラフィックパネル監視卓のスイッチは、スイッチの出力信号を受け付けるスイッチ管理コントローラと接続され、そのスイッチ管理コントローラは状態監視、制御、演算等を行うプログラマブルコントローラと接続される。スイッチ管理コントローラはスイッチからの入−切信号を受け付けたり、受け付けた信号の状況に応じて、スイッチに対してランプを点灯させたり、フリッカ（点灯／非点灯の繰り返し）をさせることができる。
【０００４】
このような技術の一つに特許文献１があり、プリント板からプログラマブルコントローラまでを多芯ケーブルで接続した技術が開示されている。
【０００５】
【特許文献１】特開平１０−１０６６５９号公報
【発明の開示】
【発明が解決しようとする課題】
【０００６】
スイッチ管理コントローラの接続可能なスイッチの数は、たとえば２５６点と決まっている。しかし、各スイッチからの配線はスイッチ管理コントローラに集中してしまうため、操作パネルを含む操作盤の製作はもちろんのこと、製作した操作盤のスイッチを追加したり、取り付け場所を変更したい場合にも大きな労力を強いられている。
【０００７】
また、スイッチ下部の配線作業をしやすくするためには、スイッチ下部に十分な空間が必要となる。このため、スイッチ下部を固定することが出来ず、スイッチにかかる圧力負荷をバリヤが全て受け止める形となり、偶発的にバリヤが割れて、スイッチの脱落を生じることがあった。
【０００８】
本発明の目的は、従来技術の問題点に鑑み、操作スイッチパネル部の製造や改造が容易で、かつ堅牢なスイッチパネルシステムを提供することにある。
【課題を解決するための手段】
【０００９】
上記目的を達成するために本発明は、上部面と下部面を含むパネル本体と、前記上部面に複数のスイッチを備えるスイッチパネルシステムにおいて、前記スイッチの下端に設けられる端子部と、前記下部面の上側の電子基板上に前記端子部と対応して配置されるソケットを、スイッチ毎に挿抜可能に構成したことを特徴とする。
【００１０】
また、前記スイッチの側部に設けたスイッチ支持金具と、前記スイッチの上部を包むバリヤの側部に前記スイッチ支持金具を吊り固定する支持金具差込口を設けることを特徴とする。
【００１１】
前記電子基板上に前記ソケットを区分する中空の固定枠を設け、該固定枠の側面の上部に前記支持金具差込口をはめ込む凹部を構成したことを特徴とする。
【００１２】
また、前記下部面と前記電子基板の裏面を接する構造とすることを特徴とする。
【発明の効果】
【００１３】
本発明によれば、スイッチを基板のコネクタに直接差し込むことにより、スイッチからの配線を不要としているため、作業時間の低減、作業ミスの不良数低減、製作後の改造が容易である。さらに、コネクタ下部の鋼板で補強することにより、スイッチの脱落を防止することができるスイッチパネルを提供することができる。
【発明を実施するための最良の形態】
【００１４】
以下、本発明の一実施例について図面を用いて説明する。各図を通して同一符号は同じものを指す。図１は本発明を適用するミニグラフィックパネル監視操作卓の斜視図を示す。ミニグラフィック式監視操作卓は、モザイクタイル部１と操作パネル部２と筐体部分３から構成され、スイッチパネルシステムは操作パネル部２から筐体部分３にかけての内部に含まれる。
【００１５】
図２は操作パネル部を上部から見た詳細図である。操作パネル部２上で、丸で囲まれた部分４の内部詳細が後述する図５となる。また、丸で囲まれた部分５を図４ないし図６にて詳細に説明する。
【００１６】
図３は操作パネル部の斜視図でである。（ａ）は外観で、パネルの上側鋼板１５にスイッチ１０が設けられ、上側鋼板１５と下側鋼板１９との間に側面鋼板３１が設けられている。パネルの側面から多芯ケーブル２４が引き出される。（ｂ）は（ａ）と異なる斜視図で、側面鋼板３１がなく、上側鋼板１５と下側鋼板１９との間に支柱３２が設けられている。
【００１７】
図４は本発明の一実施例によるスイッチパネルの縦断側面図、図５は上側鋼板を除いたパネルのパネルの平面図、図６はスイッチの組立図を示す斜視図である。スイッチパネルは上側鋼板１５と下側鋼板１９で囲まれるパネル本体と、下側鋼板１９の上部に位置する電子基板１８と、基板１８に配置されている端子ソケット１７と、端子ソケット１７に端子部１４を挿入するスイッチ１０を有している。スイッチ１０は下部に端子部１４を持っており、このスイッチ１０をスイッチ固定枠１６の各穴に沿って差し込むと、端子部１４は電子基板１８に配置されている端子ソケット１７と接続するように構成されている。
【００１８】
図７はコネクタのピンからケーブルまでの接続を行う電子基板の回路図（上面図）、図８はケーブルからプログラマブルコントローラまでの構成を示すブロック図である。図７は電子基板１８の回路を上面から示し、端子ソケット１７から電子基板１８の端までの配線２１を経て多芯ケーブル２３へと結線されている。
【００１９】
各端子ソケット１７からの配線は、多数のスイッチ１０からの個別信号を多芯ケーブル２３によりスイッチ管理コントローラ２６へと集められる。その際、多芯ケーブル２３とスイッチ管理コントローラ２６は、それぞれオスコネクタ２４とメスコネクタ２５によって直結されている。オスコネクタ２４とメスコネクタ２５はオス−メスが逆となっても良い。スイッチ管理コントローラ２６からプログラマブルコントローラ２７までは金属製のケーブル２０により接続される。
【００２０】
図６に示すように、スイッチ１０はバリヤ１１と組み合わされて、パネル面となる上側鋼板１５の孔と係合し、パネル面を構成する。バリヤ１１は硬質プラスチック製ではなく、ゴムなどの弾性体であってもよいが、その弾性体の上部は硬質のものであるほうが望ましい。
【００２１】
スイッチ１０の両側面には金属製のスイッチ支持金具９，１２を設けてあり、それぞれ硬質プラスチック製のバリヤ１１のスイッチ支持金具差込口７，８に差し込み、スイッチ上部の高さにある上側鋼板１５へ吊り固定する。バリヤ１１はその上面板で上側鋼板１５に吊られるだけではなく、スイッチ支持金具差込口７，８を含む側面の凸部をスイッチ固定枠１６のバリヤ固定用凹部１３に嵌めこむ。これにより、バリヤ１１は下からも支えられる。
【００２２】
このようにスイッチ１０はバリヤ１１で支えられているが、スイッチ１０の下部にある端子部１４は電子基板１８の端子ソケット１７に支えられ、さらに下部を下側鋼板１９によっても支えられる。このため、スイッチ１０の自重とスイッチ１０にかかる上からの圧力を、バリヤ１１と下側鋼板１９で分散して支えるため、バリヤ１１の破損によるスイッチの脱落を防止することができる。
【００２３】
図９は他の実施例によるバリヤの構造を示す。スイッチが横に２つ並んだり、縦に３つ並んだりした場合は、べゼルの構造を図示のように構成する。２連スイッチ用のベゼル２２には、スイッチ１０と別のスイッチ１０に挟まれる部分に２つ穴構造２８が設けられている。２つ穴構造２８の下部凹部にはスイッチ押下用開口部２９の方に設置されるスイッチ１０のスイッチ支持金具１２が挿入され、２つ穴構造２８の上部穴にはスイッチ押下用開口部３０の側に設置されるスイッチ１０のスイッチ支持金具９が挿入される。
【図面の簡単な説明】
【００２４】
【図１】本発明を適用するミニグラフィックパネル監視操作卓の斜視図。
【図２】ミニグラフィック監視操作卓のスイッチパネルの上面図。
【図３】操作パネル部の斜視図。
【図４】本発明の一実施例であるスイッチパネルの縦断面図。
【図５】一実施例であるスイッチパネルの上部破断平面図。
【図６】一実施例によるスイッチ、バリヤ、スイッチ固定枠の組立図。
【図７】コネクタピンからケーブルまでの接続を行う電子基板の配線図。
【図８】ケーブルからプログラマブルコントローラまでの構成を示すブロック図。
【図９】他の実施例によるバリヤの構造図。
【符号の説明】
【００２５】
１…モザイクタイル部、２…操作パネル、３…筐体、１１…バリヤ、７，８…スイッチ支持金具差込口、１０…スイッチ、９，１２…スイッチ支持金具、１４…端子部、１５…上側鋼板（パネル）、１６…スイッチ固定枠、１３…バリヤ固定用凹部、１７…端子ソケット、１８…電子基板、１９…下側鋼板、２１…配線、２３…多芯ケーブル、２４…オスコネクタ、２５…メスコネクタ、２６…スイッチ管理コントローラ、２７…プログラマブルコントローラ、２２…べゼル、２８…２つ穴構造、３１…側面鋼板、３２…支柱。
【図１】
2005347055.tif 000003
【図２】
2005347055.tif 000004
【図３】
2005347055.tif 000005
【図４】
2005347055.tif 000006
【図５】
2005347055.tif 000007
【図６】
2005347055.tif 000008
【図７】
2005347055.tif 000009
【図８】
2005347055.tif 000010
【図９】
2005347055.tif 000011